(57)【特許請求の範囲】
【請求項１】
法面で行われる作業において用いられるハーネス型安全帯であって、
（１）肩掛けベルト及び腿掛けベルトを有する主部、
（２）上記主部に連結されており、作業者の胸部に位置する第一環、
（３）上記第一環に連結された延長具、
（４）上記延長具に連結された第二環、
並びに
（５）上記第二環を上記主部に取り付けるための仮留め具
を備えており、
上記仮留め具によって上記第二環が上記主部の横腹に沿って延びる部分に取り付けられた状態において、上記第二環が、上記第一環よりも横腹に近く、作業者の人体の上下方向において、上記第一環よりも下側に位置するハーネス型安全帯。
【請求項２】
上記仮留め具によって上記第二環が上記主部に取り付けられた状態において、上記第二環が、作業者の人体中心よりも右側又は左側に位置する請求項１に記載のハーネス型安全帯。
【請求項３】
上記仮留め具によって上記第二環が上記主部に取り付けられた状態において、上記第一環と上記第二環との距離が１５ｃｍ以上である請求項１又は２に記載のハーネス型安全帯。
【請求項４】
上記仮留め具が、スタッド及びソケットからなるスナップと、上記延長具に取り付けられた補助ベルトとを有しており、
上記補助ベルトの一端近傍にスタッドが取り付けられており、上記補助ベルトの他端近傍にソケットが取り付けられており、
上記補助ベルトが上記主部に巻き付けられかつ上記スタッドが上記ソケットに圧入されることで、上記第二環が上記主部に取り付けられうる請求項１から３のいずれかに記載のハーネス型安全帯。
【発明の詳細な説明】
【技術分野】
【０００１】
本発明は、ハーネス型安全帯に関する。詳細には、本発明は、法面等での作業に適した安全帯に関する。
【背景技術】
【０００２】
法面（傾斜面）で行われる作業として、法切工、法面保護工、土留工、法面調査等が挙げられる。法切工では、斜面上の不要な土砂が撤去又は整形される。法面保護工では、枠の形成、モルタル又は客土の吹き付け、植生マット又はむしろの張り付け、緑化等が行なわれる。法面保護工により、法面の安定度が強化され、又は浸食が防止される。土留工では、斜面の末端又は中腹に土留が配される。土留工により、法面の崩壊が抑止される。法面調査では、法面の損傷等が検査される。
【０００３】
法面作業では、この法面に親綱が垂らされる。１名の作業者に対し、１本の親綱が用いられる場合と、２本の親綱が用いられる場合とがある。１本の親綱が用いられる工法は、「親綱一本式工法」と称されている。２本の親綱が用いられる工法は、「親綱二本式工法」と称されている。
【０００４】
親綱一本式工法の場合、親綱にグリップが連結される。このグリップに、一対の子綱が連結される。それぞれの子綱は、作業者が巻くベルトに連結される。作業者は、この子綱を介して親綱に体重を預け、姿勢を維持しつつ作業を行う。もし作業者が体勢を崩した場合、子綱及び親綱が、作業者の墜落を防止する。親綱一本式工法では、この親綱が姿勢維持と墜落防止との両方の役割を担う。親綱は、作業者の安全にかかわる部材である。従って親綱の切断を発生させない目的で、親綱の損傷等が頻繁に確認される必要がある。かかる観点から、親綱二本式工法が奨励される。
【０００５】
図８は、従来の親綱二本式工法の様子が示された正面図である。この工法では、法面Ｓに、第一の親綱であるメインロープ２と、第二の親綱であるライフライン４とが垂らされる。この工法にはさらに、尻当て６、腰ベルト８、グリップ１０、一対の第一子綱１２、スライダ１４、第二子綱１６が用いられる。尻当て６は、腰ベルト８に連結されている。作業者は、腰ベルト８を胴に巻いている。
【０００６】
メインロープ２には、グリップ１０が連結されている。グリップ１０にはロックが効いており、メインロープ２に対するグリップ１０の位置が固定されている。このグリップ１０に、一対の第一子綱１２が連結されている。それぞれの第一子綱１２は、尻当て６に連結されている。作業者は、尻当て６及び一対の第一子綱１２を介して親綱に体重を預け、姿勢を維持しつつ作業を行う。ライフライン４には、スライダ１４が通されている。このスライダ１４に、第二子綱１６が連結されている。第二子綱１６は、腰ベルト８に連結されている。もし作業者が転倒等を起こした場合、第二子綱１６によってスライダ１４が下方へ引かれる。このときスライダ１４の緊急ロック機構が働き、スライダ１４のさらなるスライドが阻止される。従って、腰ベルト８、第二子綱１６、スライダ１４及びライフライン４により作業者が吊され、作業者の墜落が阻止される。親綱二本式工法では、メインロープ２が作業者の姿勢維持の役割を担い、ライフライン４が墜落防止の役割を担う。この工法では、もしメインロープ２が切断しても、ライフライン４によって作業者の安全が守られる。作業者が上下に移動したいときは、グリップ１０を手で握り、ロックを解除する。解除により、グリップ１０がメインロープ２に対してスライドしうる。
【０００７】
ところで安全帯には、腰ベルト型とハーネス型とが存在する。ハーネス型安全帯では、作業者が落下したとき、人体の複数箇所に衝撃が分散される。また、落下後に親綱に吊り下げられた状態においても、人体の複数箇所に重力が分散される。ハーネス型安全帯では、落下した作業者への負担が小さい。ハーネス型安全帯の一例が、特開２０１５−２２３２９２公報に開示されている。
【先行技術文献】
【特許文献】
【０００８】
【特許文献１】特開２０１５−２２３２９２公報
【発明の概要】
【発明が解決しようとする課題】
【０００９】
ハーネス型安全帯は、環を有している。この環に、子綱等が連結される。厚生労働省が告示した「安全帯の規格」において、環の位置は、胸部又は背中部と定められている。胸部又は背中部に環を有する安全帯を着用した作業者が落下した場合、人体の複数箇所に衝撃が分散される。この作業者が親綱に吊り下げられた場合、環が胸部又は背中部にあるので、作業者の体位は立位に近い。環が胸部又は背中部にあるハーネス型安全帯では、落下した作業者への負担が小さい。
【００１０】
前述の通り、法面作業では、親綱に体重を預けることで、作業者が姿勢を維持する。姿勢維持のためには、子綱は、人体の重心近傍に連結される必要がある。換言すれば、子綱は、腰又は尻に巻かれたベルトに連結される必要がある。かかる観点から、法面作業では、腰ベルト型安全帯が用いられている。
【００１１】
ハーネス型安全帯は安全性に優れるので、法面作業でもこのハーネス型安全帯の着用が推奨される。しかし、ハーネス型安全帯では、環の位置が人体の重心から遠い。従って、法面での作業における作業者の姿勢の維持のためには、ハーネス型安全帯とは別に、作業者は、腰又は尻にベルトを巻く必要がある。
【００１２】
前述の通り、法面作業には腰ベルト型安全帯が用いられているが、もしハーネス型安全帯が法面作業に用いられた場合の不都合につき、以下説明される。図９は従来のハーネス型安全帯１８を着用した作業者による法面Ｓでの作業の様子が示された正面図であり、図１０はその平面図である。この例では、ライフラインとして、リトラクタ式墜落防止具２０のワイヤ２２が用いられている。図９及び１０に示されるように、グリップ１０によってメインロープ２に連結された子綱１２は、尻当て６に連結されている。尻当て６、子綱１２及びメインロープ２により、作業者は姿勢を維持する。ワイヤ２２は、ハーネス型安全帯１８に連結されている。このワイヤ２とハーネス型安全帯１８とにより、作業者の墜落が阻止される。
【００１３】
図９及び１０に示された工法において、ワイヤ２２は、ハーネス型安全帯１８の環２４に連結されている。この環２４は、前述の通り、作業者の胸の位置に存在する。換言すれば、ワイヤ２２の端は、作業者の胸の位置に存在する。このワイヤ２２は、作業者の作業を妨げる。従来のハーネス型安全帯１８は、法面Ｓでの作業には適さない。
【００１４】
本発明の目的は、法面等での作業において作業性及び安全性に優れる、ハーネス型安全帯の提供にある。
【課題を解決するための手段】
【００１５】
本発明に係るハーネス型安全帯は、
（１）肩掛けベルト及び腿掛けベルトを有する主部、
（２）主部に連結されており、作業者の胸部に位置する第一環、
（３）第一環に連結された延長具、
（４）延長具に連結された第二環、
並びに
（５）第二環を主部に取り付けるための仮留め具
を備える。仮留め具によって第二環が主部に取り付けられた状態において、第二環は、第一環よりも、作業者の人体の上下方向における下側に位置する。
【００１６】
好ましくは、仮留め具によって第二環が主部に取り付けられた状態において、第二環は、作業者の人体中心よりも右側又は左側に位置する。
【００１７】
好ましくは、仮留め具によって第二環が主部に取り付けられた状態において、第一環と第二環との距離は、１５ｃｍ以上である。
【００１８】
好ましくは、仮留め具は、スタッド及びソケットからなるスナップと、延長具に取り付けられた補助ベルトとを有する。補助ベルトの一端近傍にスタッドが取り付けられており、補助ベルトの他端近傍にソケットが取り付けられている。補助ベルトが主部に巻き付けられかつスタッドがソケットに圧入されることで、第二環が主部に取り付けられうる。
【発明の効果】
【００１９】
本発明に係る安全帯では、作業者の胸よりも下方において、この安全帯にライフラインが連結されうる。従って作業者は、作業時に煩わしさを感じない。この安全帯はハーネス型なので、安全性に優れる。
【図面の簡単な説明】
【００２０】
【図１】図１は、本発明の一実施形態に係るハーネス型安全帯が示された正面図である。
【図２】図２は、図１の安全帯の一部が示された拡大展開図である。
【図３】図３は、図１の安全帯の一部が示された拡大正面図である。
【図４】図４は、図１の安全帯の一部が示された拡大背面図である。
【図５】図５は、図１の安全帯が用いられた法面作業の様子が示された正面図である。
【図６】図６は、図５の作業の様子が示された平面図である。
【図７】図７は、図１の安全帯を着用した作業者が落下したときの様子が示された側面図である。
【図８】図８は、従来の親綱二本式工法の様子が示された正面図である。
【図９】図９は、従来のハーネス型安全帯を着用した作業者による法面作業の様子が示された正面図であ
【図１０】図１０は、図９の作業の様子が示された平面図である。
【発明を実施するための形態】
【００２１】
以下、適宜図面が参照されつつ、好ましい実施形態に基づいて本発明が詳細に説明される。
【００２２】
図１及び２に示されたハーネス型安全帯２６は、主部２８、第一環３０、延長ベルト３２（延長具に相当）、第二環３４及び仮留め具３６を有している。図１には、この安全帯２６と共に、尻当て６、腰ベルト８及び一対の連結ベルト３８も示されている。それぞれの連結ベルト３８は、尻当て６と腰ベルト８とを連結している。
【００２３】
主部２８は、一対の肩掛けベルト４０、一対の吊りベルト４２、一対の腿掛けベルト４４、胸ベルト４６、一対のベルト止め４８及びパッド５０を有している。肩掛けベルト４０及び腿掛けベルト４４を有する安全帯２６は、「ハーネス型」と称されている。
【００２４】
それぞれの肩掛けベルト４０は、第一端５２と第二端５４とを有している。第一端５２の近傍は、腿掛けベルト４４に接合されている。典型的な接合方法は、縫合である。第二端５４の近傍において、肩掛けベルト４０は、ベルト止め４８に連結されている。肩掛けベルト４０は、他の肩掛けベルト４０と交差している。交差の位置は、作業者の背中に相当する。この交差の箇所において、肩掛けベルト４０にパッド５０が取り付けられている。パッド５０は、作業者の背中や肩に当たる。このパッド５０は、作業者の着用感を高める。
【００２５】
それぞれの吊りベルト４２は、上端５６と下端５８とを有している。この上端５６の近傍は、ベルト止め４８において、折り返されている。折り返しの長さが調整されることにより、安全帯２６のサイズが調整されうる。吊りベルト４２の下端５８の近傍は、腿掛けベルト４４に接合されている、典型的な接合方法は、縫合である。肩掛けベルト４０の第二端５４は、吊りベルト４２を介して、腿掛けベルト４４に取り付けられている。吊りベルト４２が設けられず、第二端５４が直接に、腿掛けベルト４４に取り付けられてもよい。
【００２６】
それぞれの腿掛けベルト４４は、バックル６０を有している。このバックルは、プラグ６２とソケット６４とを有している。プラグ６２は、腿掛けベルト４４の一端に位置している。ソケット６４は、腿掛けベルト４４の他端に位置している。プラグ６２がソケット６４に差し込まれることにより、腿掛けベルト４４がループを形成する。このループは、作業者の腿を巻く。
【００２７】
胸ベルト４６は、右ベルト６６、左ベルト６８及びバックル７０を有している。このバックル７０は、プラグ７２とソケット７４とを有している。右ベルト６６の右端の近傍は、肩掛けベルト４０に接合されている。典型的な接合方法は、縫合である。右ベルト６６の左端に、プラグ７２が連結されている。左ベルト６８の左端の近傍は、肩掛けベルト４０に接合されている。典型的な接合方法は、縫合である。左ベルト６８の右端に、ソケット７４が連結されている。プラグ７２は、ソケット７４に差し込まれうる。
【００２８】
第一環３０は、いわゆるＤ環である。第一環３０が、他の形状を有してもよい。第一環３０は、胸ベルト４６に連結されている。プラグ７２がソケット７４に差し込まれた状態において、第一環３０は、作業者の胸のほぼ中央に位置する。
【００２９】
図２には、第一環３０、延長ベルト３２（延長具に相当）、第二環３４及び仮留め具３６が示されている。延長ベルト３２の上端は、第一環３０に連結されている。図１及び２に示された状態では、延長ベルト３２は、第一環３０から左下（作業者の右下）に向かって延びている。
【００３０】
第二環３４は、いわゆるＤ環である。第二環３４が、他の形状を有してもよい。第二環３４は、延長ベルト３２の下端の近傍において、この延長ベルト３２に連結されている。
【００３１】
仮留め具３６は、補助ベルト７６及びスナップ７８を有している。補助ベルト７６は、延長ベルト３２に取り付けられている。典型的な取り付け方法は、縫合である。スナップ７８は、スタッド８０及びソケット８２を有している。スタッド８０は、補助ベルト７６の一端近傍に取り付けられている。ソケット８２は、補助ベルト７６の他端近傍に取り付けられている。
【００３２】
図３は図１の安全帯２６の一部が示された拡大正面図であり、図４はその拡大背面図である。図１、３及び４に示された状態では、補助ベルト７６が吊りベルト４２に巻かれている。そして、スタッド８０（図２参照）がソケット８２に圧入されている。この圧入により、補助ベルト７６及び延長ベルト３２を介して、第二環３４が吊りベルト４２に取り付けられている。スナップ７８の結合力は、比較的弱い。作業者の体重がスナップ７８にかかると、スタッド８０はソケット８２から容易に抜ける。換言すれば、第二環３４は、吊りベルト４２に仮留めされている。第二環３４が、主部２８のうちの、吊りベルト４２以外の部分に仮留めされてもよい。例えば、肩掛けベルト４０、腿掛けベルト４４等に、第二環３４が仮留めされてもよい。
【００３３】
第二環３４が主部２８に仮留めされる手段は、スナップ７８に限られない。種々の手段が、採用されうる。例えば、面ファスナー（登録商標「マジックテープ」等）により、第二環３４が主部２８に仮留めされてもよい。結合力の弱い縫合により、第二環３４が主部２８に仮留めされてもよい。
【００３４】
図１、３及び４に示された状態では、第二環３４は、第一環３０よりも、作業者の人体の上下方向における下側に位置している。さらに第二環３４は、作業者の人体中心よりも右側又は左側（図１の例では右側）に位置している。具体的には、第二環３４の位置は、作業者の横腹に相当する。
【００３５】
図５は図１の安全帯２６が用いられた法面作業の様子が示された正面図であり、図６はその平面図である。この作業では、第一ポール８４にメインロープ２が結ばれ、このメインロープ２が法面Ｓに垂らされる。さらに、第二ポール８６に、リトラクタ式墜落防止具８８が取り付けられている。この墜落防止具８８は、ケーシング９０と、このケーシング９０の中に巻き取られたワイヤ９２と、安全装置（図示されず）とを有する。安全装置は、ワイヤ９２が急激に繰り出されると、この繰り出しを阻止する。ワイヤ９２は、法面Ｓの下方に向かって延びている。このワイヤ９２は、ライフラインである。この作業にはさらに、グリップ１０、尻当て６、腰ベルト８及び一対の子綱９４が用いられる。作業者は、安全帯２６を着用しており、さらに腰ベルト８を胴に巻いている。ワイヤ９２に代えて、ライフラインとして、綱が用いられてもよい。
【００３６】
メインロープ２に対するグリップ１０の位置は、固定されている。作業者は、尻当て６及び一対の子綱９４を介してメインロープ２に体重を預け、姿勢を維持しつつ、法面作業を行う。作業者が上下に移動するときは、グリップ１０の位置の固定を解除する。作業者の移動に伴い、ワイヤ９２が、ケーシング９０から繰り出され、又はケーシング９０に巻き取られる。
【００３７】
ワイヤ９２の先端は、第二環３４（図１等も参照）に連結されている。前述の通り、第二環３４は、作業者の横腹に位置している。従って、作業者にとってワイヤ９２が作業の妨げとなりにくい。この安全帯２６は、作業性に優れる。
【００３８】
図２において矢印Ｌで示されているのは、第一環３０と第二環３４との距離である。距離Ｌは、仮留め具３６によって第二環３４が主部２８に取り付けられた状態において、測定される。作業性の観点から、距離Ｌは１５ｃｍ以上が好ましく、２０ｃｍ以上が特に好ましい。この距離は、６０ｃｍ以下が好ましい。
【００３９】
何らかの理由で、作業者が法面Ｓにおいて落下することがある。作業者が落下すると、ワイヤ９２がケーシング９０から急激に繰り出される。この繰り出しを検知した墜落防止具８８（図５参照）では、安全装置が作動し、ワイヤ９２のさらなる繰り出しが阻止される。この阻止により、ワイヤ９２、延長ベルト３２及び補助ベルト７６に、作業者の体重による張力がかかる。この張力により、スナップ７８が外れる。そして、図７に示されるように、主部２８、第一環３０、延長ベルト３２、第二環３４及びワイヤ９２により、作業者が吊り下げられる。
【００４０】
この安全帯２６は前述の通りハーネス型なので、作業者が落下した場合、人体の複数箇所に衝撃が分散される。この作業者がワイヤ９２に吊り下げられた場合、第一環３０が胸部にあるので、図７に示されるように、作業者の体は立位に近い。この安全帯２６では、落下した作業者への負担が小さい。
【００４１】
このように、この安全帯２６は、通常の法面作業時には作業性に寄与し、緊急時には作業者の安全に寄与する。
【００４２】
他の観点によれば、本発明は、法面作業用装備に関する。この装備は、メインロープ２、ライフライン９２、ハーネス型安全帯２６、腰ベルト８（又は尻当て６）を有する。この装備により作業者は、好ましい姿勢で作業を行うことができる。この装備により作業者は、ライフライン９２を煩わしく感じない。この装備により、落下した作業者の安全が図られうる。
【産業上の利用可能性】
【００４３】
以上説明されたハーネス型安全帯は、法面における様々な作業に用いられ得る。
【符号の説明】
【００４４】
２・・・メインロープ
６・・・尻当て
８・・・腰ベルト
２６・・・ハーネス型安全帯
２８・・・主部
３０・・・第一環
３２・・・延長ベルト
３４・・・第二環
３６・・・仮留め具
４０・・・肩掛けベルト
４２・・・吊りベルト
４４・・・腿掛けベルト
４６・・・胸ベルト
７０・・・バックル
７６・・・補助ベルト
７８・・・スナップ
８０・・・スタッド
８２・・・ソケット
８８・・・リトラクタ式墜落防止具
９２・・・ワイヤ
【図１】
0006733884.tif 000002
【図２】
0006733884.tif 000003
【図３】
0006733884.tif 000004
【図４】
0006733884.tif 000005
【図５】
0006733884.tif 000006
【図６】
0006733884.tif 000007
【図７】
0006733884.tif 000008
【図８】
0006733884.tif 000009
【図９】
0006733884.tif 000010
【図１０】
0006733884.tif 000011